(57)【特許請求の範囲】
【請求項１】
複数の画素の各々に対応して画素電極が設けられた第１基板と、コモン電極が設けられた第２基板とで液晶を挟持し、前記画素電極、前記液晶および前記コモン電極とで液晶素子が構成された液晶パネルに対し、
各画素に印加する電圧を、前記画素毎の電圧を指定する映像信号に基づいて規定する映像処理回路であって、
前記映像信号で指定される電圧が第１電圧を下回る第１画素と、前記映像信号で指定される電圧が前記第１電圧よりも大きい第２電圧以上である第２画素との境界を検出する境界検出部と、
前記境界検出部により検出された境界に対して前記第１画素の反対側で隣接し、当該境界とは反対方向に向かって連続するｍ個（ｍは１以上の整数）の前記第２画素について、当該第２画素に対応する液晶素子へ印加する電圧を、前記映像信号で指定される電圧から、前記第１電圧以上で、且つ前記第２電圧を下回る第３電圧に補正する補正部と
を備え、
前記液晶パネルの表示を更新する時間間隔をＳとし、
前記補正部による補正後の電圧に切り替わったときの当該液晶素子の応答時間をＴとした場合に、
Ｓ＜Ｔであるとき、
前記ｍの値を、前記応答時間Ｔを前記時間間隔Ｓで割った値の整数部の値に１を加算した値に設定した
ことを特徴とする映像処理回路。
【請求項２】
前記第３電圧は、前記第２画素に前記第３電圧を印加した場合の明度が、前記第２画素に前記映像信号で指定される電圧を印加した場合の明度から１０％以内の変化に収まる電圧であること
を特徴とする請求項１に記載の映像処理回路。
【請求項３】
前記補正部は、
前記境界検出部により検出された境界に対して前記第２画素の反対側で隣接し、当該境界とは反対方向に向かって連続する前記ｍ以上の第１画素について、当該第１画素に対応する液晶素子へ印加する電圧を、前記映像信号で指定される電圧から、前記第１電圧以上で、且つ前記第３電圧を下回る第４電圧に補正する
ことを特徴とする請求項１に記載の映像処理回路。
【請求項４】
前記補正部は、
前記２以上の第１画素に対して前記境界の反対側で隣接し、前記映像信号で指定される電圧が前記第１電圧を下回る第３画素であって当該境界とは反対方向に向かって連続する１以上の第３画素について、前記映像信号で指定される電圧よりも高く、前記第４電圧を下回る第５電圧を印加する
ことを特徴とする請求項３に記載の映像処理回路。
【請求項５】
前記補正部は、
前記２以上の第２画素に対して前記境界の反対側で隣接し、前記映像信号で指定される電圧が前記第２電圧以上である第４画素であって当該境界とは反対方向に向かって連続する１以上の第４画素について、前記映像信号で指定される電圧よりも低く、前記第３電圧を上回る第６電圧を印加する
ことを特徴とする請求項１又は３に記載の映像処理回路。
【請求項６】
複数の画素の各々に対応して画素電極が設けられた第１基板と、コモン電極が設けられた第２基板とで液晶を挟持し、前記画素電極、前記液晶および前記コモン電極とで液晶素子が構成された液晶パネルに対し、
各画素に印加する電圧を、前記画素毎の電圧を指定する映像信号に基づいて規定する映像処理回路であって、
前記映像信号で指定される電圧が第１電圧を下回る第１画素と、前記映像信号で指定される電圧が前記第１電圧よりも大きい第２電圧以上である第２画素との境界を検出する境界検出部と、
前記境界検出部により検出された境界に対して前記第２画素の反対側で隣接し、当該境界とは反対方向に向かって連続する前記ｍ以上の第１画素について、当該第１画素に対応する液晶素子へ印加する電圧を、前記映像信号で指定される電圧から、前記第１電圧以上で、且つ前記第２電圧を下回る第４電圧に補正する補正部と
を備え、
前記液晶パネルの表示を更新する時間間隔をＳとし、
前記補正部による補正後の電圧に切り替わったときの当該液晶素子の応答時間をＴとした場合に、
Ｓ＜Ｔであるとき、
前記ｍの値を、前記応答時間Ｔを前記時間間隔Ｓで割った値の整数部の値に１を加算した値に設定した
ことを特徴とする映像処理回路。
【請求項７】
複数の画素の各々に対応して画素電極が設けられた第１基板と、コモン電極が設けられた第２基板とで液晶を挟持し、前記画素電極、前記液晶および前記コモン電極とで液晶素子が構成された液晶パネルに対し、各画素に印加する電圧を、前記画素毎の電圧を指定する映像信号に基づいて規定する映像処理方法であって、
前記映像信号で指定される電圧が第１電圧を下回る第１画素と、前記映像信号で指定される電圧が前記第１電圧よりも大きい第２電圧以上である第２画素との境界を検出し、
検出された境界に対して前記第１画素の反対側で隣接し、当該境界とは反対方向に向かって連続するｍ個（ｍは１以上の整数）の前記第２画素について、当該第２画素に対応する液晶素子へ印加する電圧を、前記映像信号で指定される電圧から、前記第１電圧以上で、且つ前記第２電圧を下回る第３電圧に補正し、
前記液晶パネルの表示を更新する時間間隔をＳとし、
前記補正部による補正後の電圧に切り替わったときの当該液晶素子の応答時間をＴとした場合に、
Ｓ＜Ｔであるとき、
前記ｍの値を、前記応答時間Ｔを前記時間間隔Ｓで割った値の整数部の値に１を加算した値に設定した
ことを特徴とする映像処理方法。
【請求項８】
前記検出された境界に対して前記第２画素の反対側で隣接し、当該境界とは反対方向に向かって連続する前記ｍ以上の第１画素について、当該第１画素に対応する液晶素子へ印加する電圧を、前記映像信号で指定される電圧から、前記第１電圧以上で、且つ前記第３電圧を下回る第４電圧に補正する
ことを特徴とする請求項７に記載の映像処理方法。
【請求項９】
第１基板に複数の画素の各々に対応して設けられた画素電極と第２基板に設けられたコモン電極とにより液晶が挟持された液晶素子を有する液晶パネルと、
請求項１ないし６のいずれかに記載の映像処理回路と
を備えることを特徴とする液晶表示装置。
【請求項１０】
請求項９に記載された液晶表示装置を有することを特徴とする電子機器。
【発明の詳細な説明】
【技術分野】
【０００１】
本発明は、液晶パネルにおける表示上の不具合を低減する技術に関する。
【背景技術】
【０００２】
液晶パネルは、一定の間隙に保たれた一対の基板によって液晶を挟持した構成である。
詳細には、液晶パネルは、一方の基板において画素毎に画素電極がマトリクス状に配列し
、他方の基板にコモン電極が各画素にわたって共通となるように設けられ、画素電極とコ
モン電極とで液晶を挟持した構成となっている。画素電極とコモン電極との間において、
階調レベルに応じた電圧を印加・保持させると、液晶の配向状態が画素毎に規定され、こ
れにより、透過率または反射率が制御される。したがって、上記構成では、液晶分子に作
用する電界のうち、画素電極からコモン電極に向かう方向（またはその反対方向）、すな
わち、基板面に対して垂直方向（縦方向）の成分だけが表示制御に寄与する、ということ
ができる。
【０００３】
ところで、近年のように小型化、高精細化のために画素ピッチが狭くなると、互いに隣
接する画素電極同士で生じる電界、すなわち基板面に対して平行方向（横方向）の電界が
生じて、その影響が無視できなくなりつつある。例えばＶＡ（Vertical Alignment）方式
や、ＴＮ（Twisted Nematic）方式などのように縦方向の電界により駆動されるべき液晶
に対して、横電界が加わると、液晶の配向不良（つまり、リバースチルトドメイン）が発
生し、表示上の不具合が発生してしまう、という問題が生じた。
このリバースチルトドメインの影響を低減するために、画素電極に合わせて遮光層（開
口部）の形状を規定するなどして液晶パネルの構造を工夫する技術（例えば特許文献１参
照）や、映像信号から算出した平均輝度値が閾値以下の場合にリバースチルトドメインが
発生すると判断して、設定値以上の映像信号をクリップする技術（例えば特許文献２参照
）などが提案されている。
【先行技術文献】
【特許文献】
【０００４】
【特許文献１】特開平６−３４９６５号公報（図１）
【特許文献２】特開２００９−６９６０８号公報（図２）
【発明の概要】
【発明が解決しようとする課題】
【０００５】
しかしながら、液晶パネルの構造によってリバースチルトドメインを低減する技術では
、開口率が低下しやすく、また、構造を工夫しないで既に製作された液晶パネルに適用す
ることができない、という欠点がある。一方、設定値以上の映像信号をクリップする技術
では、表示される画像の明るさが設定値に制限されてしまう、という欠点もある。
本発明は、上述した事情に鑑みてなされたもので、その目的の一つは、これらの欠点を
解消しつつ、リバースチルトドメインを低減する技術を提供することにある。
【課題を解決するための手段】
【０００６】
上記目的を達成するために、本発明に係る映像処理回路にあっては、複数の画素の各々
に対応して画素電極が設けられた第１基板と、コモン電極が設けられた第２基板とで液晶
を挟持し、前記画素電極、前記液晶および前記コモン電極とで液晶素子が構成された液晶
パネルに対し、前記画素毎に液晶素子の印加電圧を指定する映像信号を入力するとともに
、処理した映像信号に基づいて前記液晶素子の印加電圧をそれぞれ規定する映像処理回路
であって、入力した映像信号で指定される印加電圧が第１電圧を下回る第１画素と、前記
印加電圧が前記第１電圧よりも大きい第２電圧以上である第２画素との境界を検出する境
界検出部と、前記境界検出部により検出された境界に対して前記第１画素の反対側で隣接
し、当該境界とは反対方向に向かって連続する２以上の第２画素について、当該第２画素
に対応する液晶素子への印加電圧を、前記映像信号で指定される印加電圧から、前記第１
電圧以上で、且つ前記第２電圧を下回るように補正する補正部とを備えることを特徴とす
る。本発明によれば、液晶素子の応答時間が、表示画面が更新される時間間隔より長い場
合でも、リバースチルトドメインの発生を抑えることが可能となる。例えば、前記液晶パ
ネルの表示を更新する時間間隔をＳとし、前記補正部により印加電圧が補正されて電圧に
切り替わったときの前記液晶素子の応答時間をＴとした場合に、Ｓ＜Ｔであるとき、前記
境界に隣接する前記第１画素に対して前記境界の反対側で隣接し、当該境界とは反対方向
に向かって連続する前記第２画素の数は、前記応答時間Ｔを前記時間間隔Ｓで割った値の
整数部の値とするとよい。また、本発明によれば、液晶パネルの構造を変更する必要がな
いので、開口率の低下を招くこともないし、また、構造を工夫しないで既に製作された液
晶パネルに適用することも可能である。さらに、境界に隣接する付近画素のうち、第２画
素に対応する液晶素子への印加電圧を、映像信号で指定される階調レベルに対応する値か
ら補正するので、表示される画像の明るさが設定値に制限されてしまうこともない。
【０００７】
本発明において、前記補正部は、前記境界検出部により検出された境界に対して前記第
２画素の反対側で隣接し、当該境界とは反対方向に向かって連続する２以上の第１画素に
ついて、当該第１画素に対応する液晶素子への印加電圧を、前記映像信号で指定される印
加電圧から、前記第１電圧以上で、且つ前記２以上の第２画素に対応する液晶素子への印
加電圧を下回るように補正することが好ましい。本発明によれば、隣接する第１画素及び
第２画素に対応する液晶素子の印加電圧の差を更に小さくし、リバースチルトドメインの
発生をより一層抑えることが可能となる。
【０００８】
また、本発明において、前記補正部は、前記２以上の第１画素に対して前記境界の反対
側で隣接し、前記映像信号で指定される印加電圧が前記第１電圧を下回る第３画素であっ
て当該境界とは反対方向に向かって連続する１以上の第３画素について、互いに隣接する
前記第３画素及び前記第１画素に対応する液晶素子への印加電圧の差が小さくなるように
、当該１以上の第３画素に対応する当該印加電圧を高くすることが好ましい。本発明によ
れば、リバースチルトドメインの発生を抑えために前記１以上連続する第１画素に対応す
る液晶素子の印加電圧を上昇させることを原因として目立つことのある第１画素と第３画
素との間の境界を、知覚されにくくすることができる。
【０００９】
また、本発明において、前記補正部は、前記２以上の第２画素に対して前記境界の反対
側で隣接し、前記映像信号で指定される印加電圧が前記第２電圧以上である第４画素であ
って当該境界とは反対方向に向かって連続する１以上の第４画素について、互いに隣接す
る前記第４画素及び前記第２画素に対応する液晶素子への印加電圧の差が小さくなるよう
に、当該１以上の第４画素に対応する当該印加電圧を低くすることが好ましい。本発明に
よれば、リバースチルトドメインの発生を抑えために前記１以上連続する第２画素に対応
する液晶素子の印加電圧を上昇させることを原因として目立つことのある第２画素と第４
画素との間の境界を、知覚されにくくすることができる。
なお、本発明は、映像処理回路のほか、映像処理方法、液晶表示装置および当該液晶表
示装置を含む電子機器としても概念することが可能である。
【図面の簡単な説明】
【００１０】
【図１】本発明の第１実施形態に係る映像処理回路を適用した液晶表示装置を示す図。
【図２】同液晶表示装置における液晶素子の等価回路を示す図。
【図３】同映像処理回路の構成を示す図。
【図４】同液晶表示装置における表示特性を示す図。
【図５】同液晶表示装置における表示動作を示す図。
【図６】同映像処理回路における補正処理の内容を示す図。
【図７】同補正処理による横電界の低減を示す図。
【図８】本発明の第２実施形態に係る映像処理回路の構成を示す図。
【図９】同映像処理回路における補正処理の内容を示す図
【図１０】同補正処理による横電界の低減を示す図。
【図１１】本発明の第３実施形態に係る映像処理回路における境界補正の内容を示す図。
【図１２】同実施形態に係る別の境界補正の内容を示す図。
【図１３】同実施形態に係る別の境界補正の内容を示す図
【図１４】実施形態に係る液晶表示装置を適用したプロジェクターを示す図。
【図１５】横電界の影響による表示上の不具合の一例を示す図。
【発明を実施するための形態】
【００１１】
以下、本発明の実施の形態について図面を参照しつつ説明する。
＜第１実施形態＞
まず、本発明の第１実施形態について説明する。
図１は、本実施形態に係る映像処理回路を適用した液晶表示装置の全体構成を示すブロ
ック図である。
図１に示すように、液晶表示装置１は、制御回路１０と、液晶パネル１００と、走査線
駆動回路１３０と、データ線駆動回路１４０とを備える。制御回路１０には、映像信号Ｖ
id-inが上位装置から同期信号Ｓyncに同期して供給される。映像信号Ｖid-inは、液晶パ
ネル１００における各画素の階調レベルをそれぞれ指定するデジタルデータであり、同期
信号Ｓyncに含まれる垂直走査信号、水平走査信号およびドットクロック信号（いずれも
図示省略）に従った走査の順番で供給される。
なお、映像信号Ｖid-inは階調レベルを指定するが、階調レベルに応じて液晶素子の印
加電圧が定まるので、映像信号Ｖid-inは液晶素子の印加電圧を指定するものといって差
し支えない。
【００１２】
制御回路１０は、走査制御回路２０と映像処理回路３０とを備える。走査制御回路２０
は、各種の制御信号を生成して、同期信号Ｓyncに同期して各部を制御する。映像処理回
路３０は、詳細については後述するが、デジタルの映像信号Ｖid-inを処理して、アナロ
グのデータ信号Ｖxを出力する。
【００１３】
液晶パネル１００は、素子基板（第１基板）１００ａと対向基板（第２基板）１００ｂ
とが一定の間隙を保って貼り合わせられるとともに、この間隙に、縦方向の電界で駆動さ
れる液晶１０５が挟持された構成である。素子基板１００ａのうち、対向基板１００ｂと
の対向面には、複数ｍ行の走査線１１２が図においてＸ（横）方向に沿って設けられる一
方、複数ｎ列のデータ線１１４が、Ｙ（縦）方向に沿って、且つ各走査線１１２と互いに
電気的に絶縁を保つように設けられている。
なお、この実施形態では、走査線１１２を区別するために、図において上から順に１、
２、３、…、（ｍ−１）、ｍ行目という呼び方をする場合がある。同様に、データ線１１
４を区別するために、図において左から順に１、２、３、…、（ｎ−１）、ｎ列目という
呼び方をする場合がある。
【００１４】
素子基板１００ａでは、さらに、走査線１１２とデータ線１１４との交差のそれぞれに
対応して、ｎチャネル型のＴＦＴ１１６と矩形形状で透明性を有する画素電極１１８との
組が設けられている。ＴＦＴ１１６のゲート電極は走査線１１２に接続され、ソース電極
はデータ線１１４に接続され、ドレイン電極が画素電極１１８に接続されている。一方、
対向基板１００ｂのうち、素子基板１００ａとの対向面には、透明性を有するコモン電極
１０８が全面にわたって設けられる。コモン電極１０８には、図示省略した回路によって
電圧ＬＣcomが印加される。
なお、図１において、素子基板１００ａの対向面は紙面裏側であるので、当該対向面に
設けられる走査線１１２、データ線１１４、ＴＦＴ１１６および画素電極１１８について
は、破線で示すべきであるが、見難くなるのでそれぞれ実線で示す。
【００１５】
図２は、液晶パネル１００における等価回路を示す図である。
図２に示すように、液晶パネル１００は、走査線１１２とデータ線１１４との交差に対
応して、画素電極１１８とコモン電極１０８とで液晶１０５を挟持した液晶素子１２０が
配列した構成である。図１では省略したが、液晶パネル１００における等価回路では、実
際には図２に示されるように、液晶素子１２０に対して並列に補助容量（蓄積容量）１２
５が設けられる。補助容量１２５は、一端が画素電極１１８に接続され、他端が容量線１
１５に共通接続されている。容量線１１５は時間的に一定の電圧に保たれている。
ここで、走査線１１２がＨレベルになると、その走査線にゲート電極が接続されたＴＦ
Ｔ１１６がオンとなり、画素電極１１８がデータ線１１４に接続される。このため、走査
線１１２がＨレベルであるときに、データ線１１４に階調に応じた電圧のデータ信号を供
給すると、そのデータ信号は、オンしたＴＦＴ１１６を介して画素電極１１８に印加され
る。走査線１１２がＬレベルになると、ＴＦＴ１１６はオフするが、画素電極に印加され
た電圧は、液晶素子１２０の容量性および補助容量１２５によって保持される。
液晶素子１２０では、画素電極１１８およびコモン電極１０８によって生じる電界に応
じて液晶１０５の分子配向状態が変化する。このため、液晶素子１２０は、透過型であれ
ば、印加・保持電圧に応じた透過率となる。液晶パネル１００では、液晶素子１２０毎に
透過率が変化するので、液晶素子１２０が画素に相当する。そして、この画素の配列領域
が表示領域１０１となる。
なお、本実施形態においては、液晶１０５をＶＡ方式として、液晶素子１２０が電圧無
印加時において黒状態となるノーマリーブラックモードとする。
【００１６】
走査線駆動回路１３０は、走査制御回路２０による制御信号Ｙctrにしたがって、１、
２、３、…、ｍ行目の走査線１１２に、走査信号Ｙ１、Ｙ２、Ｙ３、…、Ｙｍを供給する
。詳細には、走査線駆動回路１３０は、図５（ａ）に示すように、走査線１１２をフレー
ムにわたって１、２、３、…、（ｍ−１）、ｍ行目という順番で選択するとともに、選択
した走査線への走査信号を選択電圧ＶＨ（Ｈレベル）とし、それ以外の走査線への走査信
号を非選択電圧ＶＬ（Ｌレベル）とする。
なお、フレームとは、液晶パネル１００を駆動することによって、画像の１コマ分を表
示させるのに要する期間をいい、同期信号Ｓyncに含まれる垂直走査信号の周波数が６０
Ｈｚであれば、その逆数である１６．７ミリ秒である。
【００１７】
データ線駆動回路１４０は、映像処理回路３０から供給されるデータ信号Ｖxを、走査
制御回路２０による制御信号Ｘctrにしたがって１〜ｎ列目のデータ線１１４にデータ信
号Ｘ1〜Ｘnとしてサンプリングする。
なお、本説明において電圧については、液晶素子１２０の印加電圧を除き、特に明記し
ない限り図示省略した接地電位を電圧ゼロの基準とする。液晶素子１２０の印加電圧は、
コモン電極１０８の電圧ＬＣcomと画素電極１１８との電位差であり、他の電圧と区別す
るためである。
【００１８】
さて、液晶素子１２０の印加電圧と透過率との関係は、ノーマリーブラックモードであ
れば、例えば図４（ａ）に示されるようなＶ−Ｔ特性で表される。このため、液晶素子１
２０を、映像信号Ｖid-inで指定された階調レベルに応じた透過率とさせるには、その階
調レベルに応じた電圧を液晶素子１２０に印加すればよいはずである。しかしながら、液
晶素子１２０の印加電圧を、映像信号Ｖid-inで指定される階調レベルに応じて単に規定
するだけでは、リバースチルトドメインに起因する表示上の不具合が発生する場合がある
。
【００１９】
この不具合は、液晶素子１２０において挟持された液晶分子が不安定な状態にあるとき
に、横電界の影響によって乱れる結果、以後、印加電圧に応じた配向状態になりにくくな
ることが原因のひとつとして考えられている。液晶素子１２０への印加電圧が、ノーマリ
ーブラックモードにおける黒レベルの電圧Ｖbk以上であって閾値Ｖth1（第１電圧）を下
回る電圧範囲Ａにあると、縦電界による規制力が配向膜による規制力よりもわずかに上回
る程度であるため、液晶分子の配向状態が乱れやすい。これが、液晶分子が不安定な状態
にあるときである。便宜的に、液晶素子の印加電圧が電圧範囲Ａにある液晶素子の透過率
範囲（階調範囲）を「ａ」とする。また、以下の説明においては、階調範囲ａにおける階
調レベルを特に区別する必要のないときは、その階調レベルを「ａ」と表すとともに、そ
の階調レベルを得るための液晶素子への印加電圧を「Ｖａ」と表すことがある。
【００２０】
一方、横電界の影響を受ける場合とは、互いに隣り合う画素電極同士の電位差が大きく
なる場合をいい、これは、表示しようとする画像において黒レベルまたは黒レベルに近い
暗画素と、白レベルまたは白レベルに近い明画素とが隣接する場合をいう。このうち、暗
画素は、図４（ａ）に示すようなノーマリーブラックモードでは、印加電圧が電圧範囲Ａ
にある液晶素子１２０であり、この暗画素に対して横電界を与えるのが明画素である。こ
の明画素を特定するため、明画素を、印加電圧が閾値Ｖth2（第２電圧）以上であってノ
ーマリーブラックモードにおける白レベル電圧Ｖwt以下の電圧範囲Ｂにある液晶素子１２
０とする。便宜的に、液晶素子１２０の印加電圧が電圧範囲Ｂにある液晶素子の透過率範
囲（階調範囲）を「ｂ」とする。また、以下の説明においては、階調範囲ｂにおける各階
調レベルを特に区別する必要のないときは、その階調レベルを「ｂ」として表すとともに
、その階調レベルを得るための液晶素子１２０への印加電圧を「Ｖｂ」と表すことがある
。
なお、ノーマリーブラックモードにおいて、閾値Ｖth1は、液晶素子の相対透過率を１
０％とさせる光学的閾値電圧であり、閾値Ｖth2は、液晶素子の相対透過率を９０％とさ
せる光学的飽和電圧と考えてよい。
【００２１】
印加電圧が電圧範囲Ａにある液晶素子は、電圧範囲Ｂにある液晶素子に隣接したときに
、横電界を受けてリバースチルトドメインが発生しやすい状況にある。逆に、電圧範囲Ｂ
にある液晶素子は、電圧範囲Ａにある液晶素子に隣接しても、縦電界の影響が支配的であ
るために安定状態にあるので、電圧範囲Ａの液晶素子のようにリバースチルトドメインが
発生することはない。
【００２２】
この表示上の不具合の例について説明すると、映像信号Ｖid-inで示される画像が例え
ば図１５に示されるようなものである場合、詳細には、階調範囲ａの暗画素が階調範囲ｂ
の明画素を背景としてフレーム毎に１画素ずつ左方向に移動する場合、暗画素から明画素
に変化すべき画素がリバースチルトドメインの発生によって階調範囲ｂの階調にはならな
い、という一種の尾引き現象として顕在化する。この現象の原因のひとつとしては、暗画
素と明画素とが隣接したときに、これらの画素同士の横電界が強くなって、その暗画素に
おいて液晶分子の配向が乱れるとともに、配向の乱れた領域が、暗画素の移動に伴って拡
大したためである考えられる。
したがって、液晶分子の配向乱れに起因する表示上の不具合の発生を抑えるためには、
映像信号Ｖid-inで示される画像において暗画素と明画素とが隣接するときでも、液晶パ
ネル１００では、暗画素と明画素とを隣接させないことが重要となる。
【００２３】
そこで、液晶パネル１００の前段に設けられた映像処理回路３０は、映像信号Ｖid-in
で示される画像を解析して、階調範囲ａの暗画素と階調範囲ｂの明画素とが隣接する状態
があるか否かを検出する。そして、映像処理回路３０は、暗画素と明画素との境界に隣接
する明画素を含み、且つその境界の反対方向に向かって連続する２以上の明画素（つまり
、印加電圧を高くすべき方の画素）について、各画素の階調レベルを、階調範囲ｂでもな
く、階調範囲ａでもない別の階調範囲ｃに属する階調レベルc1に補正する。階調範囲ｃは
、階調範囲ａを上回り、且つ階調範囲ｂを下回る階調レベルの範囲である。これにより、
液晶パネル１００では、明画素に対応する液晶素子１２０に対し、階調レベルc1に相当す
る電圧Ｖc1が印加されるので、横電界の影響を受けやすい画素（ノーマリーブラックモー
ドでは暗画素）に対して強い横電界が発生しないことになる。
【００２４】
次に、映像処理回路３０の詳細について、図３を参照して説明する。図３に示すように
、映像処理回路３０は、補正部３００、境界検出部３０２、遅延回路３１２およびＤ／Ａ
変換器３１６を備える。
遅延回路３１２は、ＦＩＦＯ（Fast In Fast Out：先入れ先出し）メモリーや多段のラ
ッチ回路などにより構成され、上位装置から供給される映像信号Ｖid-inを蓄積して、所
定時間経過後に読み出して映像信号Ｖid-dとして出力するものである。なお、遅延回路３
１２における蓄積および読出は、走査制御回路２０によって制御される。
【００２５】
境界検出部３０２は、第１に、映像信号Ｖid-inで示される画像を解析して、階調範囲
ａにある画素（第１画素）と階調範囲ｂにある画素（第２画素）とが隣接する部分がある
か否かを判別する。境界検出部３０２は、第２に、その隣接する部分があると判別したと
き、その隣接部分である境界を検出する。
なお、ここでいう境界とは、階調範囲ａにある画素と階調範囲ｂにある画素とが隣接す
る部分をいう。このため、例えば階調範囲ａにある画素と階調範囲ｃにある画素とが隣接
する部分や、階調範囲ｂにある画素と階調範囲ｃにある画素とが隣接する部分については
、境界として扱わない。
【００２６】
補正部３００は、判別部３１０とセレクター３１４とを備える。判別部３１０は、遅延
回路３１２によって遅延された映像信号Ｖid-dで示される画素の階調レベルが階調範囲ｂ
に属するか否か、および、その画素が境界検出部３０２で検出された境界に接しているか
否かをそれぞれ判別する。判別部３１０は、その判別結果がいずれも「Ｙｅｓ」である場
合に出力信号のフラグＱを例えば「１」として出力し、その判別結果がいずれか１つでも
「Ｎｏ」であれば「０」として出力する。また、判別部３１０は、或る明画素についてフ
ラグＱを「０」から「１」へ切り替えて出力したときには、それに続く２以上の明画素に
ついてもフラグＱを「１」として出力する。ここでは、判別部３１０は、３つ連続する明
画素についてフラグＱ「１」を出力する。
なお、境界検出部３０２は、少なくとも複数ラインの映像信号を蓄積してからでないと
、表示すべき画像における境界を検出することができないので、映像信号Ｖid-inの供給
タイミングを調整する意味で遅延回路３１２が設けられている。このため、上位装置から
供給される映像信号Ｖid-inのタイミングと、遅延回路３１２から供給される映像信号Ｖi
d-dのタイミングとは異なるので、厳密にいえば、両者の水平走査期間等については一致
しないことになるが、以降については特に区別しないで説明する。
【００２７】
セレクター３１４は、制御端子Ｓelに供給されたフラグＱに応じて入力端ａ、ｂのいず
れかを選択し、選択した入力端に供給された信号を出力端Ｏutから映像信号Ｖid-outを出
力する。セレクター３１４において、入力端ａに遅延回路３１２による映像信号Ｖid-dが
供給され、入力端ｂに補正用として階調レベルc1の映像信号が供給される。セレクター３
１４は、制御端子Ｓelに供給されたフラグＱが「１」であれば、入力端ｂを選択し、該フ
ラグＱが「０」であれば、入力端ａを選択して、いずれか一方に入力される映像信号を映
像信号Ｖid-outとして出力する。
【００２８】
Ｄ／Ａ変換器３１６は、デジタルデータである映像信号Ｖid-outを、アナログのデータ
信号Ｖxに変換する。液晶１０５に直流成分が印加されるのを防止するため、データ信号
Ｖxの電圧は、ビデオ振幅中心である電圧Ｖcに対して高位側の正極性電圧と低位側の負極
性電圧とに例えばフレーム毎に交互に切り替えられる。
なお、コモン電極１０８に印加される電圧ＬＣcomは、電圧Ｖcとほぼ同電圧と考えてよ
いが、ｎチャネル型のＴＦＴ１１６のオフリーク等を考慮して、電圧Ｖcよりも低位とな
るように調整されることがある。
【００２９】
フラグＱが「１」である場合、境界に対し暗画素に対して反対側に隣接する明画素を原
因として、横電界の影響を与えリバースチルトドメインが発生しやすい状況にあることを
意味する。フラグＱが「１」である場合、セレクター３１４は入力端ｂを選択するので、
階調範囲ｂの階調レベルを指定する映像信号Ｖid-dは、階調レベルc1を指定する映像信号
に補正されてから、映像信号Ｖid-outとして出力される。一方、フラグＱが「０」であれ
ば、セレクター３１４では、入力端ａが選択されるので、遅延させた映像信号Ｖid-dが映
像信号Ｖid-outとして出力される。
【００３０】
ここで、液晶表示装置１の表示動作について説明すると、上位装置からは、映像信号Ｖ
id-inが、フレームにわたって１行１列〜１行ｎ列、２行１列〜２行ｎ列、３行１列〜３
行ｎ列、…、ｍ行１列〜ｍ行ｎ列の画素の順番で、供給される。映像処理回路３０は、映
像信号Ｖid-inを遅延・置換等の処理をして映像信号Ｖid-outとして出力する。
ここで、１行１列〜１行ｎ列の映像信号Ｖid-outが出力される水平有効走査期間（Ｈa
）でみたときに、処理された映像信号Ｖid-outは、Ｄ／Ａ変換器３１６によって、図５（
ｂ）で示すように正極性または負極性のデータ信号Ｖxに、ここでは例えば正極性に変換
される。このデータ信号Ｖxは、データ線駆動回路１４０によって１〜ｎ列目のデータ線
１１４にデータ信号Ｘ1〜Ｘnとしてサンプリングされる。
一方、１行１列〜１行ｎ列の映像信号Ｖid-outが出力される水平走査期間では、走査制
御回路２０が走査線駆動回路１３０に対し走査信号Ｙ１だけをＨレベルとなるように制御
する。走査信号Ｙ１がＨレベルであれば、１行目のＴＦＴ１１６がオン状態になるので、
データ線１１４にサンプリングされたデータ信号は、オン状態にあるＴＦＴ１１６を介し
て画素電極１１８に印加される。これにより、１行１列〜１行ｎ列の液晶素子には、それ
ぞれ映像信号Ｖid-outで指定された階調レベルに応じた正極性電圧が書き込まれる。
続いて、２行１列〜２行ｎ列の映像信号Ｖid-inは、同様に映像処理回路３０によって
処理されて、映像信号Ｖid-outとして出力されるとともに、Ｄ／Ａ変換器３１６によって
正極性のデータ信号に変換された上で、データ線駆動回路１４０によって１〜ｎ列目のデ
ータ線１１４にサンプリングされる。
２行１列〜２行ｎ列の映像信号Ｖid-outが出力される水平走査期間では、走査線駆動回
路１３０によって走査信号Ｙ２だけがＨレベルとなるので、データ線１１４にサンプリン
グされたデータ信号は、オン状態にある２行目のＴＦＴ１１６を介して画素電極１１８に
印加される。これにより、２行１列〜２行ｎ列の液晶素子には、それぞれ映像信号Ｖid-o
utで指定された階調レベルに応じた正極性電圧が書き込まれる。
以下同様な書込動作が３、４、…、ｍ行目に対して実行され、これにより、各液晶素子
に、映像信号Ｖid-outで指定された階調レベルに応じた電圧が書き込まれて、映像信号Ｖ
id-inで規定される透過像が作成されることなる。次のフレームでは、データ信号の極性
反転によって映像信号Ｖid-outが負極性のデータ信号に変換される以外、同様な書込動作
が実行される。
【００３１】
図５（ｂ）は、映像処理回路３０から、水平走査期間（Ｈ）にわたって１行１列〜１行
ｎ列の映像信号Ｖid-outが出力されたときのデータ信号Ｖxの一例を示す電圧波形図であ
る。本実施形態では、ノーマリーブラックモードとしているので、データ信号Ｖxは、正
極性であれば、基準電圧Ｖcntに対し、映像処理回路３０によって処理された階調レベル
に応じた分だけ高位側の電圧（図において↑で示す）になる。データ信号Ｖxは、負極性
であれば、基準電圧Ｖcntに対し、階調レベルに応じた分だけ低位側の電圧（図において
↓で示す）になる。詳細には、データ信号Ｖxの電圧は、正極性であれば、白に相当する
電圧Ｖw(+)から黒に相当する電圧Ｖb(+)までの範囲で、一方、負極性であれば、白に相当
する電圧Ｖw(-)から黒に相当する電圧Ｖb(-)までの範囲で、それぞれ基準電圧Ｖcntから
階調に応じた分だけ偏位させた電圧となる。電圧Ｖw(+)および電圧Ｖw(-)は、電圧Ｖcnt
を中心に互いに対称の関係にある。電圧Ｖb(+)およびＶb(-)についても電圧Ｖcntを中心
に互いに対称の関係にある。
なお、図５（ｂ）は、データ信号Ｖxの電圧波形を示すものであって、液晶素子１２０
に印加される電圧（画素電極１１８とコモン電極１０８との電位差）とは異なる。また、
図５（ｂ）におけるデータ信号の電圧の縦スケールは、図５（ａ）における走査信号等の
電圧波形と比較して拡大してある。
【００３２】
次に、映像処理回路３０による処理の具体例について説明する。
映像信号Ｖid-inで示される画像が例えば図６（１）に示すものである場合、境界検出
部３０２によって検出される境界は、図６（２）に示すとおりである。
映像処理回路３０では、検出された境界に隣接し、階調レベルが階調範囲ｂに属する明
画素であってその境界の反対方向に向かって連続する２以上の明画素を補正の対象とする
。この補正対象となる明画素群のことを、以下では「補正対象明画素群」と称する。ここ
では、補正対象明画素群の各画素について、階調レベルc1の映像信号に補正される。補正
対象明画素群は、ここでは３つの連続する明画素により構成される。階調レベルc1は、閾
値Vth1以上閾値Ｖth2を下回るいずれかの印加電圧により得られるものであればよいが、
この補正を施さない場合の明度から１０％以内の変化で収まることが好ましい。
以上の処理により、図６（１）で示される画像は、映像処理回路３０によって図６（３
）に示されるような階調レベルに補正される。
【００３３】
仮に、映像信号Ｖid-inを映像処理回路３０で処理しないで液晶パネル１００に供給す
る構成としたとき、正極性書込である場合、画素電極の電位は、例えば図７（ａ）に示す
とおりである。すなわち、明画素の画素電極の電位は、正極性書込であれば暗画素の画素
電極の電位よりも低くなるが、その電位差が大きいので、横電界の影響を受けやすくなる
。一方、負極性である場合、電圧Ｖc（ほぼ電圧ＬＣcomに等しい）を基準にして対称とな
り、電位の高低関係が逆転するが、電位差が大きいことに変わりはないので、やはり横電
界の影響を受けやすくなる。
【００３４】
これに対し、映像処理回路３０の構成によれば、図７（ａ）の表示が映像信号Ｖid-in
で指定される場合、図７（ｂ）で示されるように、画素電極の電位が引き下げられる。こ
れにより、画素電極同士の電位差が段階的に変化するので、横電界の影響を抑えることが
可能となる。これによって、階調範囲ａの暗画素が階調範囲ｂの明画素を背景としてフレ
ーム毎に左方向に移動する場合であっても、リバースチルトドメインの発生は抑制されて
いるので、図１５に示されるように尾引き現象の発生は目立たなくなる。
【００３５】
ここで、液晶パネル１００の表示画面が更新される時間間隔をＳ（ミリ秒）とし、補正
部３１０により補正対象明画素群の各画素の印加電圧が補正されて、電圧Ｖc1に切り替わ
ったときの液晶素子１２０の配向状態になるまでの応答時間をＴ（ミリ秒）とする。例え
ば、液晶パネル１００が等倍速で駆動される場合、時間間隔Ｓは、フレームに等しい１６
．７ミリ秒である。このため、Ｓ（＝１６．７）≧Ｔであれば、階調レベルc1とする明画
素は境界に隣接する１画素のみで足りる。一方、近年では、２倍速、４倍速、…というよ
うに、液晶パネル１００の駆動がより高速化する傾向がある。このような高速駆動であっ
ても、上位装置からは供給される映像信号Ｖid-inは、等速駆動と同様にフレーム毎に１
コマ分である。このため、ｎフレームと（ｎ＋１）フレームとの間では、動画表示視認特
性を向上させる等のために、補間技術等によって両フレームの中間的な画像が生成されて
、液晶パネル１００に表示させる場合がある。例えば２倍速駆動の場合、表示画面が更新
される時間間隔は、半分の８．３５（ミリ秒）となる。このため、各フレームは第１フィ
ールドと第２フィールドとの２つに分割されるとともに、第１フィールドでは、例えば自
フレームの画像を表示させる更新がなされ、第２フィールドでは、当該自フレームの画像
と後のフレームの画像とに相当する補間画像を表示させる更新がなされる。したがって、
高速駆動であっても、フレームを分割したフィールドにおいて、画像パターンが１画素分
ずつ移動する場合があり得る。
【００３６】
映像信号Ｖid-inが１コマ分供給されるフレームの時間をＦ（ミリ秒）とし、これのＵ
倍速（Ｕは整数）で液晶パネルを駆動するとき、１フィールドの時間は、ＦをＵで割った
値となり、これが表示画面の更新される時間間隔Ｓとなる。
このため、例えば１フレームが１６．７ミリで供給される映像信号Ｖid-inに対して液
晶パネル１００を２倍速で駆動するとき、表示画面が更新される時間間隔Ｓは、半分の８
．３５ミリ秒である。ここで、上記応答時間Ｔが仮に２４ミリ秒であったとすると、補正
対象明画素群として好ましい画素数は、「２４」を「８．３５」で割った値が「２．８７
４…」であるから、この値のうちの整数部「２」に「１」を加えた「３」ということにな
る。このように、Ｓ＜Ｔであるとき、補正対象明画素群の画素数については、応答時間Ｔ
を時間間隔Ｓで割った値の整数部の値を最低数とすればよい。この構成によれば、液晶パ
ネル１００が２倍速以上される場合等、液晶素子の応答時間が、表示画面が更新される時
間間隔より長くなる場合でも、補正対象明画素群の数を適切に設定することで、上述した
リバースチルトドメインに起因する表示上の不具合の発生を事前に回避することが可能と
なる。
また、映像信号Ｖid-inで規定される画像のうち、境界付近の画素の階調レベルが局所
的に補正されるので、その補正による表示画像の変更がユーザーに知覚される可能性も小
さい。また、液晶パネル１００の構造を変更する必要がないので、開口率の低下を招くこ
ともないし、また、構造を工夫しないで既に製作された液晶パネルに適用することも可能
である。
【００３７】
また、この実施形態では、液晶１０５をＶＡ方式としたノーマリーブラックモードとし
て説明したが、液晶１０５を例えばＴＮ方式として、電圧無印加時において液晶素子１２
０が白状態となるノーマリーホワイトモードとしてもよい。ノーマリーホワイトモードと
したとき、液晶素子１２０の印加電圧と透過率との関係は、例えば図４（ｂ）に示される
ようなＶ−Ｔ特性で表され、印加電圧が高くなるにつれて透過率が減少する。横電界の影
響を受ける画素は、印加電圧が低い方の画素であることに変わりはないが、ノーマリーホ
ワイトモードにおいて印加電圧が低い方の画素は明画素となる。このため、ノーマリーホ
ワイトモードにおいて、映像処理回路３０は、印加電圧が閾値Ｖth1であるときの透過率
よりも大きい明画素（第１画素）と印加電圧が閾値Ｖth2であるときの透過率以下の暗画
素（第２画素）とが隣接する状況である場合に、映像信号Ｖid-inで指定される暗画素群
の階調レベルを階調レベルc1に補正すればよい。
ノーマリーホワイトモードにおいても、３つの連続する暗画素を階調レベルc1に補正す
る構成に限らず、液晶素子１２０の応答時間と液晶パネル１００の駆動速度等を考慮して
その数をさらに多くてもよい。
【００３８】
＜第２実施形態＞
次に、本発明の第２実施形態について説明する。
以下の説明において、第１実施形態と同じ構成については同一の符号を付して表し、そ
の説明については適宜省略する。
上述した第１実施形態では、映像信号Ｖid-inの解析によって暗画素と明画素とが隣接
するときに、印加電圧が高い側の画素群の階調レベルを補正していた。これに対し、横電
界を更に小さくするために、電界の影響を受けやすい画素（ノーマリーブラックモードで
は暗画素）である、印加電圧が低い側の画素への印加電圧を高くしてもよい。
【００３９】
図８は、この実施形態に係る映像処理回路３０の構成を示すブロック図である。
この実施形態の映像処理回路３０が、上述の第１実施形態の構成と相違する部分は、算
出部３１８が追加された点と、判別部３１０の判別内容が変更された点とにある。
ノーマリーブラックモードを例にとると、算出部３１８は、遅延回路３１２によって遅
延された映像信号Ｖid-dで示される画素の階調レベルが、階調範囲ｂに属する明画素であ
れば階調レベルc1を出力し、階調範囲ａに属する暗画素であれば、階調レベルc2を出力す
る。
判別部３１０は、第１に、遅延回路３１２によって遅延された映像信号Ｖid-dで示され
る画素の階調レベルが階調範囲ｂに属するか否か、および、その画素が境界検出部３０６
で検出された境界に隣接しているか否かをそれぞれ判別する。判別部３１０は、その判別
結果がいずれも「Ｙｅｓ」である場合に、出力信号のフラグＱを例えば「１」として出力
し、その判別結果がいずれか１つでも「Ｎｏ」であれば「０」として出力する。判別部３
１０は、或る明画素についてフラグＱを「０」から「１」へ切り替えて出力したときには
、検出された境界とは反対側に連続する、２以上の明画素についてもフラグＱを「１」と
して出力する。ここでは、判別部３１０は、２つの連続する明画素についてフラグＱを「
１」として出力する。判別部３１０は、第２に、遅延回路３１２によって遅延された映像
信号Ｖid-dで示される画素の階調レベルが階調範囲ａに属するか否か、および、その画素
が境界検出部３０２で検出された境界に隣接しているか否かをそれぞれ判別する。判別部
３１０は、その判別結果がいずれも「Ｙｅｓ」である場合に、出力信号のフラグＱを例え
ば「１」として出力し、その判別結果がいずれか１つでも「Ｎｏ」であれば「０」として
出力する。判別部３１０は、或る暗画素についてフラグＱを「０」から「１」へ切り替え
て出力したときには、検出された境界とは反対側に連続する、２以上の暗画素についても
フラグＱを「１」として出力する。ここでは、判別部３１０は、２つの連続する明画素に
ついてフラグＱを「１」として出力する。
判別部３１０から出力されるフラグＱが「１」であれば、映像信号Ｖid-dは、算出部３
１８から出力される階調レベルに補正され、映像信号Ｖid-outとして出力される。
【００４０】
映像処理回路３０による処理の具体例について説明する。
映像信号Ｖid-inで示される画像が例えば図９（１）に示されるものである場合、境界
検出部３０２によって検出される境界は、図９（２）に示されるとおりである。
映像処理回路３０では、上述の第１実施形態と同じ手順で、２以上の明画素を含む補正
対象明画素群を階調レベルc1に補正する一方で、検出された境界に対して補正対象明画素
群の反対側で隣接し、暗画素が２以上連続する暗画素群（以下、「補正対象暗画素群」と
いう。）について、階調レベルc2の映像信号に補正する。補正対象暗画素群は、ここでは
２つの連続する暗画素により構成される。階調レベルc2は、閾値Vth1以上で、且つ電圧Ｖ
c1を下回るいずれかの印加電圧により得られるものである。すなわち、図４に示したとお
り、階調レベルc 2は、階調範囲ｃに属する階調レベルであるとともに、階調レベルc1を
下回る階調レベルである。
【００４１】
仮に、映像信号Ｖid-inを映像処理回路３０で処理しないで液晶パネル１００に供給す
る構成としたとき、階調範囲ａに属する暗画素と階調範囲ｂに属する明画素とにおいて、
画素電極の電位は、正極性書込であれば図１０（ａ）で示されるとおりであり、暗画素と
明画素との間における横電界が大きくなる。これに対して本例では、図１０（ｂ）に示さ
れるように、暗画素群の液晶素子への印加電圧が高くなるように補正されるので、近接す
る画素同士の電位差を更に小さくすることができ、第１実施形態の構成よりも横電界の影
響をより一層抑制することが可能となる。また、この実施形態では、境界を挟んで隣接す
る暗画素及び明画素からなる画素群（４画素）について階調レベルが置き換えられる。よ
って、液晶パネル１００が２倍速以上される場合等、液晶素子の応答時間が表示画面が更
新される時間間隔より長くなる場合でも、上述したリバースチルトドメインに起因する表
示上の不具合の発生を事前に回避することが可能となる。
【００４２】
なお、ここでは、補正対象暗画素群および補正対象明画素群をそれぞれ２つの連続する
画素としていたが、この数は「２」に限らず、液晶素子１２０の応答時間と液晶パネル１
００の駆動速度等を考慮してその数をさらに多くてしてもよい。
また、この実施形態においても、液晶１０５を例えばＴＮ方式として、電圧無印加時に
おいて液晶素子１２０が白状態となるノーマリーホワイトモードとしてもよい。ノーマリ
ーホワイトモードとしたとき、映像処理回路３０は、印加電圧が閾値Ｖth1であるときの
透過率よりも大きい明画素と印加電圧が閾値Ｖth2であるときの透過率以下の暗画素とが
隣接するような状況である場合に、各画素の階調レベルを補正すればよい。
【００４３】
＜第３実施形態＞
次に、本発明の第３実施形態について説明する。
以下の説明において、第１、２実施形態と同じ構成については同一の符号を付して表し
、その詳細な説明については適宜省略する。
この実施形態の映像処理回路３０による補正処理の具体例について、図１１〜図１３を
参照しつつ説明する。これら各図の（ａ）〜（ｃ）のそれぞれにおいて、各矩形が１画素
に対応しており、矩形の内側に示すアルファベット、またはアルファベット及び数値の組
み合わせは、各階調レベルに対応している。また、Ｐ１〜Ｐ１２は各画素を区別するため
の符号であり、図中左から右に向かって末尾の数字が大きくなる。また、各矩形の下部の
グラフにおいて、横軸は各画素の位置を表し、縦軸は各画素位置の画素に対応する液晶素
子の印加電圧を表す。
【００４４】
ここで、上述の第２実施形態の構成により階調レベルが補正された画像が、図１１（ａ
）に示されるものである場合を考える。このとき、階調レベルc1である補正対象明画素群
Pix1と、階調レベルc2である補正対象暗画素群Pix2とがその画素列の方向に隣接している
。また、補正対象暗画素群Pix2に対して補正対象明画素群Pix1の反対側には、補正対象暗
画素群Pix2でない暗画素が連続している。この暗画素群のことを、補正対象暗画素群Pix2
と区別するために、以下では、隣接暗画素群Pix3と称する。隣接暗画素群Pix3は、各画素
（第３画素）の階調レベルが階調範囲ａに含まれるものである。
ところで、ユーザーにより知覚されるべき境界の位置は、本来境界Ｂ１のみであるが、
リバースチルドドメインを抑制するための階調補正を行うことにより、補正対象暗画素群
Pix2の階調レベルが隣接暗画素群Pix3よりも高くなるから、境界Ｂ２もユーザーに知覚さ
れることがある。
そこで、この実施形態の映像処理回路３０では本来視認されるべきでない境界が目立た
ないようにするために、以下に説明する境界補正を行う。
【００４５】
＜Ａ．補正対象暗画素群に対する境界補正＞
まず、補正対象暗画素群Pix2に対する境界補正について説明する。
図１１（ｂ）に示すように、映像処理回路３０では、隣接暗画素群Pix3の階調レベルが
、補正対象暗画素群Pix2の階調レベルを上回らないように、各画素の階調レベルを高くす
る。この階調レベルについては、算出部３１８が階調レベルを補正して出力することで実
現可能である。ここでは、隣接暗画素群Pix3のうち画素Ｐ９〜Ｐ１１のそれぞれの階調レ
ベルがaからc3（ただし、a＜c3＜c2）に補正されている。階調レベルc3を得るための液晶
素子１２０への印加電圧はVc3であり、Vc3は、電圧Vaを上回るとともに電圧Vc2を下回る
印加電圧である。この印加電圧の補正により、隣接暗画素群Pix3の階調レベルが、補正対
象暗画素群Pix2の階調レベル「c1」と階調レベル「ａ」との間となるので、境界補正を行
わない場合に比べて、画素Ｐ８、Ｐ９間の境界がＢ２視認されにくくなる。
【００４６】
また、図１１（ｃ）に示すように、映像処理回路３０では、隣接暗画素群Pix3の各画素
を互いに同じ階調レベルにするのではなく、境界Ｂ２に近づくにつれて次第に各画素の階
調レベルが高くなるようにしてもよい。ここでは、画素Ｐ１１の階調レベルをc33とし、
画素Ｐ１０の階調レベルをc32とし、画素Ｐ９の階調レベルをc31としている。これにより
境界Ｂ２を更に目立たなくすることができる。
また、階調レベルc1である補正対象明画素群Pix1に対して境界Ｂ１の反対側には、補正
対象明画素群Pix1でない明画素が連続している。この明画素群のことを、補正対象明画素
群Pix1と区別するために、以下では「隣接明画素群Pix4」と称する。隣接明画素群Pix4は
、各画素（第４画素）の階調レベルが階調範囲ｂに含まれるものである。ここで、補正対
象明画素群Pix1の階調レベルは隣接明画素群Pix4よりも低いから、図１２（ａ）に示す境
界Ｂ３がユーザーに知覚されることがある。
そこで、映像処理回路３０では境界Ｂ３が目立たないようにするために、以下に説明す
る境界補正を行うようにしてもよい。
【００４７】
＜Ｂ．補正対象明画素群に対する境界補正＞
図１２（ｂ）に示すように、映像処理回路３０では、隣接明画素群Pix4の階調レベルが
、補正対象明画素群Pix1の階調レベルを上回らないように、隣接明画素群Pix4の各画素の
階調レベルを低くする。ここでは、隣接明画素群P ix4のうち画素Ｐ２〜Ｐ４のそれぞれ
の階調レベルがbからc4（ただし、c1＜c4＜b）に補正されている。階調レベルc4を得るた
めの液晶素子１２０への印加電圧はVc4である。電圧Vc4は、電圧Vbを下回るとともにVc1
を上回る印加電圧である。この印加電圧の補正により、隣接明画素群Pix4の階調レベルが
、補正対象明画素群Pix1の階調レベル「c1」と階調レベル「ｂ」との間となるので、境界
補正を行わない場合に比べて、画素Ｐ４、Ｐ５間の境界Ｂ３が視認されにくくなる。
【００４８】
また、図１２（ｃ）に示すように、映像処理回路３０では、隣接明画素群Pix4の各画素
を互いに同じ階調レベルにするのではなく、境界Ｂ３に近づくにつれて次第に各画素の階
調レベルが低くなるようにしてもよい。ここでは、画素Ｐ２の階調レベルをc41とし、画
素Ｐ３の階調レベルをc42とし、画素Ｐ４の階調レベルをc43としている。これにより境界
Ｂ３を更に目立たなくすることができる。
なお、この補正対象明画素群に対する境界補正は、第２実施形態の映像処理回路３０に
算出部３１８を備えることで実現されてもよい。
【００４９】
＜Ｃ．補正対象暗画素群、及び補正対象明画素群に対する補正＞
映像処理回路３０では、図１１を用いて説明した上記＜Ａ．補正対象暗画素群に対する
境界補正＞、及び図１２を用いて説明した＜Ｂ．補正対象明画素群に対する境界補正＞に
対応する補正の両方を行ってもよい。これにより、境界Ｂ２，Ｂ３の双方を目立たなくす
ることができる。
なお、この境界補正において階調レベルを補正する暗画素および明画素の画素数を、こ
こでは連続する３画素としていたが、これ以外の数であってもよい。一例として、１〜６
画素とすれば十分な境界補正の効果を奏する。
【００５０】
また、この実施形態の境界補正を以下のようにして行ってもよい。
図１３（ａ）に示す例では、映像処理回路３０は、補正対象暗画素群pix1の階調レベル
を変化させ、隣接暗画素群Pix3の階調レベルを変化させていない。具体的には、映像処理
回路３０は、画素Ｐ８の階調レベルを、隣接画素群Pix3よりも高く、且つ階調レベルc2よ
りも低い階調レベルc3としている。この場合も、画素Ｐ８、Ｐ９という互いに隣り合う画
素どうしの階調レベルの差（印加電圧の差）が小さくなるので、境界Ｂ２をユーザーに知
覚されにくくすることができる。また、図１３（ｂ）に示すように、映像処理回路３０は
、補正対象暗画素群pix2の階調レベルを変化させ、隣接明画素群Pix4の階調レベルを変化
させないようにしてもよい。具体的には、映像処理回路３０は、画素Ｐ５の階調レベルを
、隣接画素群P ix4よりも低く、且つ階調レベルc1よりも高い階調レベルc4としている。
この場合も、画素Ｐ４、Ｐ５という互いに隣り合う画素どうしの階調レベルの差が小さく
なるので、境界Ｂ３をユーザーに知覚されにくくすることができる。
このように、映像処理回路３０が、リバースチルトドメインの抑制を目的として階調レ
ベルが補正された画素群と、その画素群に対して境界とは反対側に隣接する画素群との階
調レベルの差（つまり、電位差）を小さくする補正を行うことで、本来なかった境界が視
認されることを抑制することができる。
【００５１】
＜変形例＞
上述した各実施形態において、映像信号Ｖid-inは、画素の階調レベルを指定するもの
としたが、液晶素子の印加電圧を直接的に指定するものとしてもよい。映像信号Ｖid-in
が液晶素子の印加電圧を指定する場合、指定される印加電圧によって境界を判別して、電
圧を補正する構成とすればよい。
上述した各実施形態において、補正対象明画素群や補正対象暗画素群の各画素の階調レ
ベルはそれぞれ同じでなくてもよい。
また、各実施形態において、液晶素子１２０は、透過型に限られず、反射型であっても
よい。さらに、液晶素子１２０は、ノーマリーブラックモードに限られず、ノーマリーホ
ワイトモードでもよいのは上述したとおりである。
また、この実施形態においても、液晶１０５を例えばＴＮ方式として、電圧無印加時に
おいて液晶素子１２０が白状態となるノーマリーホワイトモードとしてもよい。この場合
も、映像処理回路３０では、隣接する補正対象暗画素群の暗画素に対応する液晶素子への
印加電圧との差が小さくなるように、隣接暗画素群に対応する印加電圧を高くしたり、隣
接する補正対象明画素群の明画素に対応する液晶素子への印加電圧との差が小さくなるよ
うに、隣接明画素群に対応する印加電圧を低くしたりすればよい。
【００５２】
＜電子機器＞
次に、上述した実施形態に係る液晶表示装置を用いた電子機器の一例として、液晶パネ
ル１００をライトバルブとして用いた投射型表示装置（プロジェクター）について説明す
る。図１４は、このプロジェクターの構成を示す平面図である。
この図に示されるように、プロジェクター２１００の内部には、ハロゲンランプ等の白
色光源からなるランプユニット２１０２が設けられている。このランプユニット２１０２
から射出された投射光は、内部に配置された３枚のミラー２１０６および２枚のダイクロ
イックミラー２１０８によってＲ（赤）色、Ｇ（緑）色、Ｂ（青）色の３原色に分離され
て、各原色に対応するライトバルブ１００Ｒ、１００Ｇおよび１００Ｂにそれぞれ導かれ
る。なお、Ｂ色の光は、他のＲ色やＧ色と比較すると、光路が長いので、その損失を防ぐ
ために、入射レンズ２１２２、リレーレンズ２１２３および出射レンズ２１２４からなる
リレーレンズ系２１２１を介して導かれる。
【００５３】
このプロジェクター２１００では、液晶パネル１００を含む液晶表示装置が、Ｒ色、Ｇ
色、Ｂ色のそれぞれに対応して３組設けられる。ライトバルブ１００Ｒ、１００Ｇおよび
１００Ｂの構成は、上述した液晶パネル１００と同様である。Ｒ色、Ｇ色、Ｂ色のそれぞ
れの原色成分の階調レベルを指定するに映像信号がそれぞれ外部上位回路から供給されて
、ライトバルブ１００Ｒ、１００Ｇおよび１００がそれぞれ駆動される構成となっている
。
ライトバルブ１００Ｒ、１００Ｇ、１００Ｂによってそれぞれ変調された光は、ダイク
ロイックプリズム２１１２に３方向から入射する。そして、このダイクロイックプリズム
２１１２において、Ｒ色およびＢ色の光は９０度に屈折する一方、Ｇ色の光は直進する。
したがって、各原色の画像が合成された後、スクリーン２１２０には、投射レンズ２１１
４によってカラー画像が投射されることとなる。
【００５４】
なお、ライトバルブ１００Ｒ、１００Ｇおよび１００Ｂには、ダイクロイックミラー２
１０８によって、Ｒ色、Ｇ色、Ｂ色のそれぞれに対応する光が入射するので、カラーフィ
ルタを設ける必要はない。また、ライトバルブ１００Ｒ、１００Ｂの透過像は、ダイクロ
イックプリズム２１１２により反射した後に投射されるのに対し、ライトバルブ１００Ｇ
の透過像はそのまま投射されるので、ライトバルブ１００Ｒ、１００Ｂによる水平走査方
向は、ライトバルブ１００Ｇによる水平走査方向と逆向きにして、左右を反転させた像を
表示する構成となっている。
【００５５】
電子機器としては、図１４を参照して説明したプロジェクターの他にも、テレビジョン
や、ビューファインダー型・モニター直視型のビデオテープレコーダー、カーナビゲーシ
ョン装置、ページャー、電子手帳、電卓、ワードプロセッサー、ワークステーション、テ
レビ電話、ＰＯＳ端末、デジタルスチルカメラ、携帯電話機、タッチパネルを備えた機器
等などが挙げられる。そして、これらの各種の電子機器に対して、上記液晶表示装置が適
用可能なのは言うまでもない。
【符号の説明】
【００５６】
１…液晶表示装置、３０…映像処理回路、１００…液晶パネル、１００ａ…素子基板、１
００ｂ…対向基板、１０５…液晶、１０８…コモン電極、１１８…画素電極、１２０…液
晶素子、３０２…境界検出部、３１０…判別部、３１４…セレクター、３１６…Ｄ／Ａ変
換器、２１００…プロジェクター。
【図１】
0005598014.tif 000002
【図２】
0005598014.tif 000003
【図３】
0005598014.tif 000004
【図４】
0005598014.tif 000005
【図５】
0005598014.tif 000006
【図６】
0005598014.tif 000007
【図７】
0005598014.tif 000008
【図８】
0005598014.tif 000009
【図９】
0005598014.tif 000010
【図１０】
0005598014.tif 000011
【図１１】
0005598014.tif 000012
【図１２】
0005598014.tif 000013
【図１３】
0005598014.tif 000014
【図１４】
0005598014.tif 000015
【図１５】
0005598014.tif 000016